(57)【要約】  【課題】犬や杖など汚れを屋内に持ち込む媒体に広汎に適用でき、床など室内が汚れるのを防ぐことができる廉価で使い勝手に優れた汚れ防止キャップを提供すること。  【解決手段】汚れ防止キャップ５０は、屋外から屋内に汚れを持ち込む媒体に着用させ、床など室内が汚れるのを防ぐものであって、柔軟性シートで形成され、上部に輪状ゴム３０からなる止着手段を備えた袋体１０からなる。袋体１０は、サイドシールにより形成され、底部にガセット部２０を備える。袋体１０の上部のサイドシールされた箇所以外に折り返し用の切り欠き１５が形成される。汚れ防止キャップ５０はペットの足を媒体とし、ペットを散歩させる際に着用させるペット用足キャップである。汚れ防止キャップは、１本杖、４本杖、松葉杖などの杖を媒体とし、杖を屋内に持ち込む際に着用させるものである。【選択図】図１
0003112798.tif 000002
【実用新案登録請求の範囲】
【請求項１】
屋外から屋内に汚れを持ち込む媒体に着用させ、床など室内が汚れるのを防ぐ汚れ防止キャップであって、柔軟性シートで形成され、上部に輪状ゴムからなる止着手段を備えた袋体からなることを特徴とする汚れ防止キャップ。
【請求項２】
袋体は、サイドシールにより形成され、底部にガセット部を備えてなることを特徴とする請求項１に記載の汚れ防止キャップ。
【請求項３】
止着手段は、袋体の上部を折り返し、折り返し箇所内に輪状ゴムを内蔵させてなるものであることを特徴とする請求項１又は請求項２に記載の汚れ防止キャップ。
【請求項４】
袋体の上部のサイドシールされた箇所以外に折り返し用の切り欠きが形成されてなる請求項３に記載の汚れ防止キャップ。
【請求項５】
柔軟性シートは、使用時に静粛性を有するものであることを特徴とする請求項１〜請求項４のいずれかに記載の汚れ防止キャップ。
【請求項６】
媒体がペットの足であって、ペットを散歩させる際に着用させるペット用足キャップであることを特徴とする請求項１〜請求項５のいずれかに記載の汚れ防止キャップ。
【請求項７】
媒体が１本杖、４本杖、松葉杖などの杖であって、杖を屋内に持ち込む際に着用させる杖用キャップであることを特徴とする請求項１〜請求項５のいずれかに記載の汚れ防止キャップ。
【考案の詳細な説明】
【技術分野】
【０００１】
本考案は、屋外から屋内に汚れを持ち込む媒体に着用させ、床など室内が汚れるのを防ぐ汚れ防止キャップに関し、詳細には、犬などペットを散歩させる際に足に着用させたり、あるいは杖に着用させ、犬の足や杖などの媒体に付いた汚れにより床など室内が汚れるのを防ぐ汚れ防止キャップに関する。
【背景技術】
【０００２】
ペットブームの今日、犬は最も愛好されているペットで、室内犬として家の中で飼われることも多い。日本人は、世界でも有数の綺麗好きとして知られ、散歩から戻る都度、飼い主の多くは汚れた室内犬の足を拭いて綺麗にするが、この作業を毎日行うのは面倒であった。これに対し、従来、散歩で足が汚れないペット用の靴についての提案がある。つま先より足首上までを連続する一枚片にて底面を形成し、側甲被の底側を、つま先より足首上までを底面の周縁に縫合し、側甲被の甲側を舌状蓋片のつま先側と一部縫合し、舌状蓋片が足首上まで連続し、この舌状蓋片の立ち上がり部前面に、背部まで巻回して足首を締付け固定できる伸縮性のベルトを縫着してなる犬用の靴の提案（特許文献１参照）や犬や猫等のペットの足形に合わせて構成したペット用靴であって、前記靴本体を、天然ゴムラテックス，ＰＶＣペースト，ウレタンエマルジョン等の浸漬成形用液状弾性材を用いて浸漬成形して成るペット用靴の提案（特許文献２参照）がある。
【０００３】
また、杖は屋外での使用により先端部が汚れるので、杖をそのまま屋内で使用すると床など室内を汚すことになる。杖の使用者は、自宅であれば屋外用の杖と屋内用の杖を使い分けることもできるが、旅館や飲食店など自宅以外の場所で前記の２本の杖を使い分けることは困難である。超高齢化社会の到来により杖の使用者の更なる増加が予想される今日、屋外で使用した杖をそのまま屋内で使用することは杖の使用者にとっては気兼ねとなり、また衛生面でも好ましくない。
【特許文献１】特開２００３−８８２６６号公報
【特許文献１】特開平１１−３２６１５号公報
【考案の開示】
【考案が解決しようとする課題】
【０００４】
しかし、犬の足サイズは区々としているため、従来のペット用の靴は個々の犬の足サイズに合わせて製造しなければならず、汎用性と量産性に欠け、コスト面でも不利であった。また、ペット用の靴は使い捨てではないため、例えば散歩中に犬の糞など汚いものを踏んでしまった場合はその都度靴を洗わなければならず面倒でもあった。更に、杖に付いた汚れで床など室内が汚れるのを防ぐための方策についての具体的な提案はない。
【０００５】
本考案は上記の事情に鑑みなされたものであって、犬の足や杖など汚れを屋内に持ち込む媒体に広汎に適用でき、床など室内が汚れるのを防ぐことができる廉価で使い勝手に優れる汚れ防止キャップを提供することを課題とする。
【課題を解決するための手段】
【０００６】
上記の課題を解決するための考案は、屋外から屋内に汚れを持ち込む媒体に着用させ、床など室内が汚れるのを防ぐ汚れ防止キャップであって、柔軟性シートで形成され、上部に輪状ゴムからなる止着手段を備えた袋体からなることを特徴とする汚れ防止キャップを要旨とする。
【０００７】
上記の構成により、輪状ゴムにより媒体に止着し、柔軟性シートで形成された袋体を着用させるだけでよいので、着脱が容易でサイズの異なる種々の媒体に広汎に適用でき、また、素材と構成の点で廉価に製造できるので、使い捨ても可能となる。ここで、「媒体」とは、屋外の汚れを屋内へ持ち込むことを介在する物をいい、室内犬の足や杖などを例示できる。
【０００８】
上記の考案において、袋体をサイドシールにより形成し、底部にガセット部を備えさせても良い。この構成により、底部にガセット部を形成し易く、ガセット部でできる底部のスペースにより媒体の収容が容易となる。
【０００９】
上記の考案において、止着手段を、袋体の上部を折り返し、折り返し箇所内に輪状ゴムを内蔵させることとしても良い。この構成により、市販の輪ゴムを利用して止着手段を容易に構成できる。
【００１０】
上記の考案において、袋体の上部のサイドシールされた箇所以外に折り返し用の切り欠きを形成しても良い。この構成により、袋体の上部の折り返しが容易に行え、仕上げも綺麗にできる。また、輪状ゴムの伸縮による負荷を分散させて一定の折り返し箇所に負荷が集中するのを回避できると共に、サイドシールされた袋体の両側に負荷がかかるのを回避できる。
【００１１】
上記の考案において、柔軟性シートを使用時に静粛性を有するものとしても良い。この構成により、犬などがペット用足キャップを怖がることが少なくなり、円滑にペット用足キャップの着脱を行うことができる。ここで、「使用時」とは、犬などペットの足にペット用足キャップを着脱させる場合や着用している場合をいい、「静粛性を有する」とは、ペット用足キャップの使用により柔軟性シートが動くことに伴い出る音、例えば、スーパーマーケットで使用される包装袋やゴミ回収用袋などの柔軟性シートは動くことに伴いガサガサとかサワサワとかの音が出るが、このような音が出ないかあるいは音が小さいことをいう。柔軟性シートは静粛性を有することが好ましいのは、本考案者がペット用足キャップの検討過程において、犬が音に極めて敏感で、柔軟性シートの動きに伴う音が大きいと多くの犬が音を怖がり着用を忌避することを見出したことによる。
【００１２】
上記の考案において、媒体がペットの足であって、ペットを散歩させる際に着用させるペット用足キャップでも良い。この構成により、散歩から戻る都度、室内犬の足を拭いて綺麗にするという面倒な作業を回避できる。
【００１３】
上記の考案において、媒体が１本杖、４本杖、松葉杖などの杖であって、杖を屋内に持ち込む際に着用させる杖用キャップとしても良い。この構成により、杖の使用者は気兼ねなく外出でき、また、衛生面でも好ましい。
【考案の効果】
【００１４】
本考案の汚れ防止キャップは、犬などペットの散歩の際に足に着用させ、あるいは杖を使用する人が屋内に入る際に杖に着用させることにより、犬の足や杖などで床など室内が汚れるのを防止でき、また、散歩から戻る都度犬の足を拭いたり、杖の先端を拭くという面倒な作業が不要となる。また、本考案の汚れ防止キャップは、簡単な構成でフリーサイズに形成できるので、汎用性が高く廉価で使い捨てもでき使い勝手に優れる。
【考案を実施するための最良の形態】
【００１５】
本考案の汚れ防止キャップとしてペットの散歩の際に足に着用させるペット用足キャップ５０を例に挙げ、図面を参照しながら実施の形態により以下に説明する。図１は、本考案の一実施の形態に係るペット用足キャップ５０の正面図で、図２はその断面図である。
また、図３は止着手段を形成する前の袋体１０の正面図で、図４は一実施の形態に係るペット用足キャップ５０の使用状況の説明図である。
【００１６】
本実施の形態に係るペット用足キャップ５０は、柔軟性シートをサイドシールして形成される。すなわち、袋体１０の長手幅の２倍の幅を有するロール状の柔軟性シートをその短手幅の中心で折り曲げて半分の長さにし、袋体１０の長手幅と同じ幅にする。そして、折り曲げ箇所を内部に押し込むことによりガセット部２０を形成する。折り曲げられた柔軟性シートを袋体の短手幅に相当する幅間隔で順次熱融着によりサイドシールし、図３に示す袋体１０を形成する。次いで、市販の輪ゴム３０を袋体１０の短手幅相当に広げた状態で図示しない治具に取り付ける。輪ゴム３０が取り付けられた治具を袋体１０の上部に嵌入し、袋体１０の上部を内側に折り返した後、折り返し箇所Ｔの周縁を熱融着する。この際、袋体１０の上部に切り欠き１５が形成されているので、袋体１０の上部の折り返しが容易に行え、また仕上げも綺麗になる。また、切り欠き１５は輪ゴム３０の伸縮により生じる負荷を分散させるので、負荷が一定の折り返し箇所Ｔに集中するのを回避させ、ひいては折り返し箇所Ｔの熱融着が剥離するのを回避させることができる。更に、切り欠き１５はサイドシールされた袋体１０の最も負荷のかかりやすい両側を避けて形成されているので、袋体１０の両側の熱融着が剥離するのを回避させることができる。
【００１７】
柔軟性シートは、シート状で柔軟性がある素材から形成され、防水性と所定の強度、すなわち、犬などペットの足に着用させ散歩に用いたり、あるいは杖に着用して杖を使用しても破損しない程度の強度があれば良く、例えば、ポリエチレンフイルム、ポリプロピレンフィルム、ビニロンフイルム等が挙げられる。また、柔軟性シートは、使用時に静粛性を有するものが好ましく、このような柔軟性シートとしてビニロンフイルム等が挙げられる。
【００１８】
次いで、上記のように製造されるペット用足キャップ５０の使用方法及び作用を説明する。まず、ペット用足キャップ５０の上部を輪ゴム３０の弾性力に抗して内側から外側に向けて開き、大きく開かれた開口に媒体の犬の足Ｌを入れ着用させる。ペット用足キャップ５０は、輪ゴム３０に蓄勢された弾性力により犬の足Ｌにしっかりと止着され、散歩中に脱げることがない。このように、ペット用足キャップ５０を２０犬の足Ｌに出し入れするだけで着脱できるので、図４に示すように、４本の足Ｌすべてに簡単且つ速やかに着用させることができる。また、柔軟性シートは、ビニロンフィルムで形成され静粛性があるので、犬などが着用を忌避することもない。また、ペット用足キャップ５０の底部にガセット部２０が形成されているので、一定のスペースが確保され、犬の足Ｌを収容し易く、また歩行し易くなっている。
【００１９】
ペット用足キャップ５０の着用により、散歩で犬の足Ｌが汚れることを防止でき、散歩から戻る都度足を拭くことが不要となる。また、ペット用足キャップ５０は、フリーサイズなので、例えば、チワワなどの小型犬の場合、上部を下側に折り返してサイズを短くすれば良く、大型犬から小型犬まで広汎に適用できる。更に、ペット用足キャップ５０は、汚れが付かない限り反復使用しても良く、あるいは使い捨てとしても良い。
【００２０】
上記の実施の形態では、犬に使用する場合を挙げてペット用足キャップの説明をしたが、本考案のペットは犬に限定されない。
【００２１】
また、上記でペット用足キャップ５０を例に挙げ汚れ防止キャップを説明したが、これに限定されず、図５に示すように屋内で１本杖などの杖に杖用キャップ６０を着用させて使用することもできる。
【図面の簡単な説明】
【００２２】
【図１】実施の形態に係るペット用足キャップの正面図である。
【図２】実施の形態に係るペット用足キャップのＡ−Ａ線断面図である。
【図３】実施の形態に係るペット用足キャップの止着手段を形成する前の袋体の正面図である。
【図４】実施の形態に係るペット用足キャップの使用状況を示す説明図である。
【図５】杖用キャップの使用状況を示す説明図である。
【符号の説明】
【００２３】
１０        袋体
１５        切り欠き
２０        ガセット部
３０        輪ゴム
５０        ペット用足キャップ
６０        杖用キャップ
【図１】
0003112798.tif 000003
【図２】
0003112798.tif 000004
【図３】
0003112798.tif 000005
【図４】
0003112798.tif 000006
【図５】
0003112798.tif 000007